(57)【要約】【課題】各種照明環境に適応可能な照明装置を提供する。【解決手段】照明器具本体１１と、照明器具本体に設けられた光源１２と、光源に対向して可動可能に設けられたルーバー１３と、ルーバーの角度を変化させる角度制御部１４とを具備し、ルーバーの角度を変化させて明暗のコントラストを制御するようにした照明装置１０を構成する。【選択図】        図１
2007242347.tif 000002
【特許請求の範囲】
【請求項１】
照明器具本体と；
照明器具本体に設けられた光源と；
光源に対向して可動可能に設けられたルーバーと；
ルーバーの角度を変化させる角度制御部と；
を具備し、ルーバーの角度を変化させて配光を制御するようにしたことを特徴とする照明装置。
【請求項２】
照明器具本体と；
照明器具本体に設けられた光源と；
光源に対向して可動可能に設けられたルーバーと；
ルーバーの角度を自動的に変化させる角度制御部と；
を具備し、ルーバーの角度を自動的に変化させて配光を制御するようにしたことを特徴とする照明装置。
【請求項３】
前記角度制御部は、駆動部及びタイマー部を有し、タイマー部により駆動部を制御して、ルーバーの角度を自動的に変化させるようにしたことを特徴とする請求項１または２に記載の照明装置。
【請求項４】
前記ルーバーは、照明器具本体の下面より突出して設けられたことを特徴とする請求項１ないし３いずれか一に記載の照明装置。
【発明の詳細な説明】
【技術分野】
【０００１】
本発明は、オフィス照明などルーバーにより配光を制御して照明を行う照明装置に関する。
【背景技術】
【０００２】
オフィス照明においては、良好な照明環境を得るために、オフィス照明基準によって、例えば、
執務エリアにおける事務室は水平面照度が１５００ｌｘ以上、ＶＤＴ専用室、ＣＡＤ室は水平面照度７５０ｌｘ、照度の均斉度０．６以上、照度の連続性が１：５以内、鉛直面照度１００〜５００ｌｘ。
【０００３】
リフレッシュエリアにおける喫茶室、休憩コーナーは、水平照度１５０ｌｘ、照度の連続性１：５以内。
【０００４】
などの最適な照明環境が得られるように各種の基準が定められ、この基準に合わせて各種の照明装置を選択し、設置することが行われている。
【０００５】
執務エリアに選択される照明装置としては、例えば、下記の特許文献１に示されるような、スクエア形の蛍光ランプを光源とし、蛍光ランプの下方に対向してルーバーを設けた照明装置が用いられ、グレアやＶＤＴへの映り込みを防止するようにしている。
【０００６】
また、下記の特許文献２には、複数のルーバーの傾斜角度を制御して太陽光を効率よく採り入れ、照明の効率を向上させる採光装置が示されている。
【特許文献１】特開２００４−２６５６４９号公報
【特許文献２】特開平７−３４６１６号公報
【発明の開示】
【発明が解決しようとする課題】
【０００７】
上記特許文献１に示されるような、ルーバーを設けた照明装置は、仕事を行う机上面を主として照らす照明環境を提供するための器具として設計されており、オフィスの事務室等に設置される。
【０００８】
このため、事務室以外の、例えば、リフレッシュエリアにおける喫茶室や休憩コーナー向けの照明環境を提供するための装置としては設計されておらず、用途が限定されてしまう。
【０００９】
また、場合によっては、用途の異なる器具を設置したために、最適な照明環境を提供していない恐れもあり、汎用性のある照明装置が要望されている。
また、ルーバーを設けた照明装置は、照明光を主として机上面を照らし、部屋の壁面や天井面に照明光があまり当たらないように構成している。
【００１０】
このため、机上で作業する、例えば、ＶＤＴ作業者は机上が明るく、周囲が暗い、明暗のコントラストが高い照明環境で仕事をし、一日を過ごすことになり、眼の疲れや心身の疲れが生じ易くなってしまう。
【００１１】
このため、明暗のコントラストが高い照明環境で、一日を通して仕事を行っても、心身や眼の疲れを生じ難い照明環境を設定することが労働環境改善のために必要となっており、作業性とリラクゼーション効果を実現するための照明装置の出現が強く望まれている。
【００１２】
特許文献２には、ルーバーの傾斜角度を制御して光の方向を変化させ、目的とする照明環境を得ようとしているが、太陽光の採光装置であり照明装置として構成されたものではなく、上述した照明装置としての汎用性や、眼や心身の疲れが生じ易い照明環境を改善しようとするものではない。
【００１３】
本発明は、上述した問題、課題を解決することを目的とし、各種照明環境に適応可能な照明装置を提供しようとするものである。
【課題を解決するための手段】
【００１４】
請求項１に記載の照明装置の発明は、照明器具本体と；照明器具本体に設けられた光源と；光源に対向して可動可能に設けられたルーバーと；ルーバーの角度を変化させる角度制御部と；を具備し、ルーバーの角度を変化させて配光を制御するようにしたことを特徴とする。
【００１５】
本発明によれば、ルーバーの角度を変化させる角度制御部により、配光を制御することができ、各種照明環境に適応可能な照明装置が構成される。
【００１６】
本発明において、照明器具本体は、天井埋め込み型、天井直付け型、天吊り型等、用途はオフィス用、業務用、さらには家庭用など各種の照明装置を構成するもの全てが許容される。
【００１７】
光源は、直管形、環状形、スクエア形の蛍光ランプや電球形の蛍光ランプでも、さらに白熱ランプ、ハロゲンランプ、発光ダイオード等でもよく、さらにこれら各種のランプを組み合わせたものでもよく、照明器具本体もこれら光源を使用したもの全てが許容され、特定の光源及び照明器具本体には限定されない。
【００１８】
光源に対向して可動可能に設けられたルーバーは、例えば、直管形、スクエア形の蛍光ランプであれば、ランプの長手方向の下方に平行に対向させ、かつ板面を垂下させて対向させた平板形に構成しても、またはランプ長手方向に平行でなく直交させて下方に対向するように設けられていても、さらに長手方向に平行なルーバーと直交するルーバーが共に設けられているものであってもよい。
【００１９】
環状形の蛍光ランプであれば、ランプの環状形に沿う軸線に平行に対向させ、かつ板面を垂下させて対向させたリング状の板を、同心状に複数枚配設したルーバーであっても、ランプの環状形の円形中心点から放射方向に板面を垂下させて対向させた平板形のルーバーで構成してもよい。さらに、リング状の板からなるルーバーと放射方向の平板形のルーバーを共に設けたものでもよい。
【００２０】
照明器具本体に設けられたルーバーは、設けられた全てのルーバーが可動できるようにしても、一部のルーバーのみが可動可能に設けられるものであってもよい。
【００２１】
ルーバーの角度を変化させる角度制御部は、ルーバーの角度を変化させるためのモータ等の駆動部を設け、駆動部で直接ルーバーを駆動しても、ギヤー機構やフレキシブルシャフト等の伝達機構を介してルーバーを駆動し角度を変化させてもよい。
【００２２】
駆動部の駆動源は、モータ等で構成しても、または手動による操作を駆動源としてもよい。
【００２３】
駆動部を動作させるタイミングは、例えば、タイマーによって、自動的にスケジュール制御しても、手動操作により制御するものでもよい。
【００２４】
ルーバーの角度を変化させて配光を制御することは、例えば、明暗のコントラストを変化させることが許容され、オフィスにあっては、机上面と壁面、机上面と天井面、さらには机上面と壁面及び天井面など、机上面と机上周囲の面とのコントラストを制御するようにしてもよい。
【００２５】
請求項２に記載の照明装置の発明は、照明器具本体と；照明器具本体に設けられた光源と；光源に対向して可動可能に設けられたルーバーと；ルーバーの角度を自動的に変化させる角度制御部と；を具備し、ルーバーの角度を自動的に変化させて配光を制御するようにしたことを特徴とする。
【００２６】
本発明によれば、ルーバーの角度を自動的に変化させる角度制御部により、配光を制御することができ、各種照明環境に適応可能で、かつ自動的に制御される便利な照明装置が構成される。
【００２７】
本発明において、ルーバーの角度を自動的に変化させる角度制御部は、駆動部及びタイマー部で構成し、自動的に変化させるようにしてもよい。
【００２８】
また、角度制御部は、駆動部及び外光センサで構成し、外の明るさを検知することにより駆動部を制御し、ルーバーの角度を自動的に変化させるようにしてもよい。
【００２９】
さらに、角度制御部は、駆動部及び人感センサで構成し、人の存否、人数等を検知することにより駆動部を制御し、ルーバーの角度を自動的に変化させるようにしてもよい。
【００３０】
請求項３に記載の発明は、請求項１または２に記載の照明装置において、前記角度制御部は、駆動部及びタイマー部を有し、タイマー部により駆動部を制御して、ルーバーの角度を自動的に変化させるようにしたことを特徴とする。
【００３１】
本発明において、タイマー部は時刻を出力しても、時間を出力するようにしてもよい。
【００３２】
請求項４に記載の発明は、請求項１ないし３いずれか一に記載の照明装置において、前記ルーバーは、照明器具本体の下面より突出して設けられたことを特徴とする。
【発明の効果】
【００３３】
請求項１の発明によれば、ルーバーの角度を変化させて配光を制御することができ、各種照明環境に適応可能な照明装置を提供することができる。
【００３４】
請求項２の発明によれば、ルーバーの角度を自動的に変化させて配光を制御することができ、各種照明環境に適応可能で、かつ自動的に制御される便利な照明装置を提供することができる。
【００３５】
請求項３の発明によれば、角度制御部は、駆動部及びタイマー部を有し、タイマー部により駆動部を制御して、ルーバーの角度を自動的に変化させるようにしたので、各種照明環境に適応可能で、かつ時刻または時間に応じて自動的に制御される便利な照明装置を提供することができる。
【００３６】
請求項４の発明によれば、ルーバーは、照明器具本体の下面より突出して設けられているので、埋め込み型の照明装置に好適な照明装置を提供することができる。
【発明を実施するための最良の形態】
【００３７】
以下、本発明の照明装置の実施形態につき説明する。
【実施例１】
【００３８】
本実施例は、天井埋め込み型の照明装置に適用したもので、その構成を図１〜図５に従い説明する。
【００３９】
１０は本発明の照明装置で、照明器具本体１１、照明器具本体に設けられた光源１２、光源に対向して可動可能に設けられたルーバー１３、ルーバーの角度を変化させる角度制御部１４で構成する。
【００４０】
照明器具本体１１は、下面が開放された四角形状の枠体１１ａと、開口部分に配置されて枠体の中央部に四角の筒状をなすステー１１ｂを介して固定される蓋体１１ｃで構成する。
【００４１】
枠体１１ａの内周面とステー１１ｂ外周面との間に、ロの字状をなす間隔を形成してランプ収納部１１ｄを構成する。
【００４２】
ランプ収納部１１ｄにはロの字状をなす開口部１１ｅが形成され、ランプ収納部の内面、すなわち、枠体１１ａの内周面、ステー１１ｂ及び蓋体１１ｃの外周面は、白色塗装等を施して光の反射面になるように構成する。
【００４３】
光源は、ロの字状をなすスクエア形の蛍光ランプ１２を用い、ロの字状をなすランプ収納部１１ｄ内に、開口部１１ｅから光が放射されるように収納配置し、ランプ収納部に設けられたランプホルダ１２ａで着脱可能に支持する。
【００４４】
スクエア形の蛍光ランプ１２には口金１２ｂが設けられ、照明器具本体１１内に設けられたソケットに接続され、電源が供給される。
【００４５】
ルーバー１３は、白色の合成樹脂からなる長尺の平板で構成し、スクエア形の蛍光ランプ１２の直線状をなす各４辺のランプの長手方向の下方に平行に対向させ、かつ板面を垂下させて対向させた４枚のルーバー１３ａ、１３ｂ、１３ｃ、１３ｄを配置する。
【００４６】
各ルーバー１３の両端にシャフト１３ｅを一体に突設し、このシャフトをランプ収納部１１ｄの内周面四隅に設けられた支持ボックス１３ｆ、１３ｆ、１３ｇ、１３ｇに、それぞれ回動可能に軸支し懸架して支持する。軸止された各シャフトは、後述する角度制御部１４の伝達機構を構成するギヤー機構１７に連結される。
【００４７】
各ルーバー１３は、照明器具本体１１の下面の開口部１１ｅから、幅寸法の約半分程度の長さで、開口部から下方に突出させて設ける。
【００４８】
これにより、照明装置１０を天井に埋め込んで設置した場合、天井面３０からルーバーの下辺部が突出されるように構成される（図２）。
【００４９】
１３ｈは、各シャフト１３ｅの軸受けで黄銅等の金属または潤滑性を有する合成樹脂等で構成する（図４）。
【００５０】
板面を垂下させて配置された各ルーバー１３は、シャフト１３ｅを中心として、垂下された垂線ｘ−ｘを境にして、左右に所定の角度をもって回動（揺動）できるように構成する。
【００５１】
図３〜図４に示すように、ルーバーの角度を変化させる角度制御部１４は、駆動部を構成するモータ１６と、駆動部の動力をルーバー１３に伝達するための伝達機構を構成するギヤー機構１７で構成する。
【００５２】
モータ１６とギヤー機構１７からなる角度制御部１４は、２台用意され、対角線上に対向して配置された２個の支持ボックス１３ｆ（以下「制御ボックス１３ｆ」と称す）内に収納され、一方（図１中左方）の制御ボックス１３ｆに収納された１台の角度制御部で、隣接する２枚のルーバー１３ａ、１３ｄを、それぞれ同時に作動させる。
【００５３】
また他方（図１中右方）の制御ボックス１３ｆに収納された１台の角度制御部で、隣接する２枚のルーバー１３ｂ、１３ｃを、それぞれ同時に作動させる。
【００５４】
モータ１６とギヤー機構１７は、制御ボックス１３ｆ内に垂直方向に設置され、モータ１６の回転を水平方向に配置されたルーバー１３のシャフトに伝達するように構成する。
【００５５】
すなわち、モータ１６は直流のステッピングモータで構成し、軸１６ａに第１歯車Ｇ１を固定して取り付ける。
【００５６】
第１歯車Ｇ１には、第２歯車Ｇ２を噛み合わせ、第２歯車Ｇ２には第３歯車Ｇ３を噛み合わせ、一方のルーバー１３ａのシャフト１３ｅに固定した第４歯車Ｇ４を噛み合わせる。
【００５７】
第２歯車Ｇ２の軸には、さらに第５歯車Ｇ５を固定し、第５歯車Ｇ５に、他方のルーバー１３ｄのシャフト１３ｅに固定した第６歯車Ｇ６を噛み合わせる。
【００５８】
なお、第１歯車Ｇ１は円板形の歯車で構成し、第２歯車Ｇ２及び第３歯車Ｇ３は小径の軸歯車を一体に有する円板形の歯車で構成し、第４歯車Ｇ４、第５歯車Ｇ５は椀の縁に歯を形成した椀形の歯車で構成し、第６歯車Ｇ６は軸歯車で構成する。
【００５９】
各歯車の歯車比は、ルーバー１３ａ、１３ｄが同一の速度で同一の方向に回動するように設定する。
【００６０】
これにより、垂直方向に設置されたモータ１６の回転を、水平方向に配置された各ルーバーのシャフトを中心とした回動に変換して、モータ１６の動力をルーバー１３ａ、１３ｄに伝達するための伝達機構１７が構成される。
【００６１】
この伝達機構は、他方の制御ボックス１３ｆにも同様の構成で収納設置し、他方のルーバー１３ｂ、１３ｃも同様に作動するように構成する。これにより、４枚の各ルーバーが同期して同一の方向に回動される。
【００６２】
なお、４枚のルーバーは完全に同期させる必要はなく、多少時間差をもって回動されてもよい。
【００６３】
角度制御部１４は、図５に示すように制御装置２０を有している。
【００６４】
制御装置は、例えば、マイクロコンピュータ等を含んだ電子回路で構成され、タイマー部２０ａ及び制御回路部２０ｂからなり、タイマー部は２４時間の時刻を常に刻み、制御回路部はタイマー部からの時刻信号に基づき、モータ１６を動作させるタイミング信号を生成する。
【００６５】
さらに、制御回路部２０ｂは、出力されたタイミング信号に基づき、予め決められ記憶された時間だけ、モータ１６を回転させる信号を出力する。
【００６６】
これにより、モータ１６が所定時間回転し、この回転によりギヤー機構１７を介して各ルーバー１３が所定の角度まで回動し、垂下された状態から外方に拡開して、ルーバーの角度が変えられる（図２（ａ）→（ｂ））。
【００６７】
各ルーバー１３が外方に拡開されると、蛍光ランプ１２からの光は、角度が変えられ傾斜され、かつ天井面３０から下辺部が突出されて設けられた各ルーバー１３の表面で反射し、照明装置１０の外方、すなわち、天井面や壁面等の周囲方向に放射される。
【００６８】
本実施例では、角度制御部１４が２台用意され、４枚のルーバーを駆動させたが、角度制御部１４を１台（モータ１６を1台）にして、４枚の各ルーバーを駆動させるようにしてもよい。
【００６９】
さらに、ルーバー１枚に対して、それぞれに角度制御部１４を１台（モータ１６を1台）設ける等に構成してもよい。
【００７０】
次に、上記のように構成された照明装置１０の作動につき説明する。
【００７１】
上記に構成された照明装置１０は、オフィスにおいて、机上にパソコン等を設置したＶＤＴ作業環境の執務エリアに設置される。
【００７２】
まず、照明装置１０を上記執務エリアの部屋の天井に埋め込み、所定の電気配線を施して天井埋め込み型の照明装置を構成する。
【００７３】
この際、各ルーバー１３の下辺部が天井面３０から突出して設置される。
【００７４】
また、所定の電気配線を施した状態で、角度制御部１４のマイクロコンピュータは作動し、タイマー部２０ａは２４時間の時刻発信動作を開始する。
【００７５】
まず、朝の出勤時に、照明装置１０の電源スイッチを投入して照明装置の蛍光ランプ１２を点灯して仕事を開始する。
【００７６】
この状態では、各ルーバー１３は常態、すなわち、各ルーバーは、スクエア形の蛍光ランプ１２の直線状をなす各４辺の長手方向下方に平行で、かつ板面を垂下した状態になっている（図２（ａ））。
【００７７】
これにより、蛍光ランプ１２からの光は、ルーバーで反射されることなく下方に向かって照射され、仕事を行う机上面を主として照らし、ＶＤＴへの照明光の写り込み少なくしてＶＤＴ作業をし易くしている。
【００７８】
部屋の照明状態は、仕事を行う机上面が明るく、壁面や天井面など周囲にはあまり光が届かずに比較的暗くなり、明暗のコントラストが高くなった仕事に集中し易い照明環境になる。
【００７９】
次に、時間が経過し、午後１２：００の昼休みの時間になると、制御装置２０のタイマー部２０ａが午後１２：００の時刻信号を発信する。
【００８０】
タイマー部からの時刻信号に基づき、制御回路部２０ｂがモータ１６を動作させるタイミング信号を生成し、予め決められ記憶された時間だけモータを回転させる信号を出力する。
【００８１】
この出力に基づき、モータ１６が所定時間回転し、この回転によりギヤー機構１７を介して各ルーバー１３同期して所定の角度まで回動する（図２（ｂ））。
【００８２】
これにより、各ルーバー１３が垂下された状態から、外方に拡開した状態となる。
【００８３】
各ルーバー１３が外方に拡開されると、蛍光ランプからの光は、角度が変えられ傾斜され、かつ天井面３０から下辺部が突出されて設けられたルーバーの表面で反射し、照明装置の外方、すなわち、部屋の壁面や天井面等の周囲方向にも向けて放射される。
【００８４】
部屋の照明状態は、直下の机上面の照度を低くし、部屋の壁面や天井面も照射し、部屋全体として明暗のコントラストが低くリラックスし易い照明環境をつくる。
【００８５】
なお、ルーバーの角度を変化させても、照明装置の光の総量は変わらない。
【００８６】
これにより、部屋の照明は、ルーバーが垂下され直下を主として照明する仕事中の照明環境（図２（ａ））から、部屋全体として明暗のコントラストが低い、安らぎ感のある照明環境（図２（ｂ））に変えられ、昼休みにおける休憩行為を視覚的に認識させることができる。
【００８７】
また、同時に、ルーバーが垂下され、直下を主として照明する仕事中の照明環境においては、明暗のコントラストが高く、長時間にわたると、心身や眼が疲れるが、休憩時間には安らぎ感のある照明環境に変えられるので、心身や眼の疲れを癒すことができる。
【００８８】
休憩時間が過ぎて、午後の始業時間である午後１：００になると、タイマー部が午後１：００の時刻信号を発信する。
【００８９】
タイマー部からの時刻信号に基づき、制御回路部２０ｂがモータ１６を動作させるタイミング信号を生成し、予め決められ記憶された時間だけモータを逆回転させる信号を出力する。
【００９０】
この出力に基づき、モータ１６が所定時間、逆に回転し、この回転によりギヤー機構１７を介して各ルーバーが逆の方向に回動する。
【００９１】
これにより、各ルーバー１３が外方に拡開された状態から、元の垂下した状態に復帰し、仕事中の照明環境（図２（ａ））に戻す。
【００９２】
上記において、昼休みのみ、各ルーバー１３を外方に拡開した明暗のコントラストが低い、安らぎ感のある照明環境になるように設定したが、朝の始業時間が始まるまでの時間や、午前の休憩時間、さらに午後の休憩時間、残業が始まる前の時間帯などにも、各ルーバー１３を外方に拡開した照明環境になるように、制御装置２０のマイクロコンピュータに記憶させて、適宜選択できるように構成してもよい。
【００９３】
また、タイマー２０ａは時刻でなく、時間信号を出力するように構成して、ＶＤＴ作業を連続２時間行ったら自動的に各ルーバー１３を外方に拡開させ、明暗のコントラストが低い照明環境になるようにして、休憩モードにさせるようにしてもよい。
【００９４】
この時間制御と時刻制御を部屋の状況、あるいは仕事の状況により適宜選択して設定できるように構成してもよい。
【００９５】
各ルーバーが、拡開する角度は部屋の状況等に合わせて、制御装置のマイクロコンピュータに記憶させて、適宜選択出るようにしてもよい。
【００９６】
以上、本実施例によれば、時刻または時間に応じて各ルーバー１３の角度を自動的に変化させて配光を制御し、明暗のコントラストを制御することができる。
【００９７】
これにより、部屋の照明をルーバーが垂下され直下を主として照明する仕事中の照明環境から、自動的に明暗のコントラストが低い、安らぎ感のある照明環境に変えることができ、休憩行為を視覚的に認識させることができるなど、各種照明環境に適応可能な照明装置を提供することができる。
【００９８】
また、ルーバーが垂下され明暗のコントラストの高い仕事中の照明環境で一日を過ごすと心身や眼が疲れるが、休憩時間には安らぎ感のある照明環境に自動的に変えられるので、心身や眼の疲れを癒すこともできる。
【００９９】
また、この照明装置においては、１台の照明装置の各ルーバーを垂下した状態から、外方に拡開した状態に角度を変化させ、配光を変化させることができる。
【０１００】
このため、執務エリア用としても、また、例えば、喫茶室や休憩コーナー等、リフレッシュエリア用の照明装置としても用いることができ、１台の照明装置を各種の照明環境に合わせて転用することが可能となり、汎用性に優れた照明装置を提供することができる。
【０１０１】
また、用途の異なる照明装置を設置してしまった場合でも、ルーバーの角度を変化させる簡単な操作で、その用途に合った照明装置に変更することができ、最適な照明環境を提供していないような恐れもなくなり、常に最適な照明環境に合った照明装置を即、現場で構成することができる。
【０１０２】
また、ルーバーを天井面より下方に突出して設けたので、照明装置を天井に埋め込んで設置しても、蛍光ランプの光を確実に壁面や天井面等の周囲方向に照射することができる。
【０１０３】
本実施例において、タイマー部２０ａによりモータ１６を制御して、時刻または時間に応じて各ルーバー１３の角度を自動的に変化させ、明暗のコントラストを制御するようにしたが、図５中点線で示すように、外光センサ２１を制御装置２０に接続して、外の明るさを検知し、例えば、夕方空が暗くなったことを検知して、ルーバーの角度を変化させ、自動的に休憩モード（終業モード）の照明環境に変えるように構成してもよい。
【０１０４】
さらに、人感センサ２２を制御装置に接続して、人の存否、例えば、人が机にいるときは仕事モードの照明環境にし、いないときには休憩モードの照明環境にしたり、部屋に人が多くいるときには仕事モードにし、人が少なくなったときには自動的に休憩モードにするように構成してもよい。
【０１０５】
また、モータ１６とギヤー機構１７からなる角度制御部１４を２台用意して構成したが、１台の角度制御部で４枚のルーバーを同時に制御するように構成してもよい。
【０１０６】
角度制御部１４を、照明器具本体の枠体１１ａの角部に設けたが、角でなく枠体各辺の中間部等、各辺の途中に設けるようにしてもよい。
【０１０７】
角度制御部１４は、伝達機構としてギヤー機構１７で構成したが、任意の方向に動力を伝達することが可能なフレキシブルシャフトで構成してもよい。
【０１０８】
さらに、モータを４台用意し、各ルーバーの一方のシャフトにモータをそれぞれ直結させて、伝達機構を省略して制御するようにしてもよい。
【０１０９】
駆動部の動力源としてモータを用いたが、ギヤー機構１７に輪をなす紐、チェーン等を連結して、使用者が手で輪を手繰ることにより、例えば、紐を手繰りカーテンを開閉するような操作により、ギヤー機構に回転のための動力を与えるようにしてもよい。
【０１１０】
ルーバー１３は、白色の合成樹脂で構成したが、ステンレスやアルミニウム、さらには白色塗装を施した鉄板等の金属で構成してもよい。
【０１１１】
ルーバー１３は、長尺の平板で構成したが、鎧戸式のルーバーで構成してもよい。
【０１１２】
すなわち、図６（ａ）（ｂ）に示すように、一端を枠体１３ｊに軸止した複数枚のルーバー片１３ｋの他端を、連結棒１３ｍで連結し、複数のルーバー片を同時に開いて傾斜させ、傾斜したルーバー片で光源の光を外方に反射させるように構成する。
【０１１３】
図６（ａ）はルーバー片を閉じた状態で光源の光は下方に放射される状態を示し、（ｂ）はルーバー片を開いて傾斜させ、光源の光を外方に反射させる状態を示す。
【０１１４】
また、図６（ｃ）（ｄ）に示すように、直管形の蛍光ランプを用いた照明装置に、本発明のルーバーを設置してもよい。
【０１１５】
すなわち、縦長の照明器具本体１１´に直管形の蛍光ランプ１２´を配置し、蛍光ランプの長手方向に第１のルーバー１３ｎを設ける。
【０１１６】
さらに、第１のルーバー１３ｎに直交して、複数枚の第２のルーバー１３ｐを設け、角度制御部１４によって複数枚の第２のルーバー１３ｐの角度を変化させる。
【０１１７】
この場合、全ての第２のルーバー１３ｐの角度を変化させるのではなく、一部、例えば、両端に近いルーバー（図中斜線を付したルーバー）のみの角度を変化させるようにしてもよい。
【０１１８】
図６（ｃ）はルーバー片を閉じた状態を示し、（ｄ）は一部のルーバーを開き、傾斜させた状態を示す。
【０１１９】
また、照明装置１０を天井埋め込み型で構成したが、図７に示すように天井直付け型に構成してもよい。
【０１２０】
この場合、各ルーバー１３は照明器具本体１１のランプ収納部１１ｄ内にルーバー全体が隠れるように収納して構成することができ、外観、意匠的にも優れた照明装置を提供することができる。
【０１２１】
これは天吊り型の照明器具でも同様、優れた照明装置を提供することができる。
【０１２２】
以上、本発明の好適な実施例を説明したが、本発明は上述の実施例に限定されることなく、本発明の要旨を逸脱しない範囲内において、種々の設計変更を行うことができる。
【図面の簡単な説明】
【０１２３】
【図１】本発明の実施形態における照明装置を分解して示す斜視図。
【図２】同じく照明装置を示し、（ａ）はルーバーを垂下した状態を示す縦断面図、（ｂ）はルーバーを外方に拡開した状態を示す縦断面図。
【図３】同じく照明装置の角度制御部を示す斜視図。
【図４】同じく照明装置の角度制御部を示す正面図。
【図５】同じく照明装置の角度制御部を示すブロック図。
【図６】同じく照明装置の変形例を示し、（ａ）は変形例において、ルーバー片を閉じた状態を示す側面図、（ｂ）はルーバー片を開いた状態を示す側面図、（ｃ）（ｄ）は他の変形例を示し、（ｃ）はルーバー片を閉じた状態を示す正面図、（ｄ）は一部のルーバーを開いた状態を示す正面図。
【図７】同じく照明装置を天井直付け型に構成した変形例を示す縦断面図。
【符号の説明】
【０１２４】
１０  照明装置
１１  照明器具本体
１２  光源
１３  ルーバー
１４  角度制御部
【図１】
2007242347.tif 000003
【図２】
2007242347.tif 000004
【図３】
2007242347.tif 000005
【図４】
2007242347.tif 000006
【図５】
2007242347.tif 000007
【図６】
2007242347.tif 000008
【図７】
2007242347.tif 000009